(57)【要約】【課題】ネットワークに情報処理機器をネットワーク接続する際のネットワーク環境の設定管理を簡素化する、ネットワーク管理システムおよびネットワーク管理方法、このネットワーク管理に用いられるリーダライタおよびその制御方法、ならびに、このリーダライタが読み取る可搬記録媒体を実現する。【解決手段】ネットワーク３に接続された情報処理機器のネットワーク環境を管理するネットワーク管理システムは、ネットワーク環境に関する情報を記録した可搬記録媒体２と、ネットワーク３に接続されるとともに、可搬記録媒体２との間で各種データの送受信を行うリーダライタ１であって、可搬記録媒体２から読み取ったネットワーク環境に関する情報に基づいてネットワーク環境を設定するリーダライタ１と、を備える。【選択図】      図１
2004220421.tif 000002
【特許請求の範囲】
【請求項１】
ネットワークに接続された情報処理機器のネットワーク環境を管理するネットワーク管理システムであって、
前記ネットワーク環境に関する情報を記録した可搬記録媒体と、
前記ネットワークに接続されるとともに、前記可搬記録媒体との間で各種データの送受信を行うリーダライタであって、前記可搬記録媒体から読み取った前記ネットワーク環境に関する情報に基づいて前記ネットワーク環境を設定するリーダライタと、
を備えることを特徴とするネットワーク管理システム。
【請求項２】
前記ネットワーク環境に関する情報は、前記情報処理機器のネットワーク上におけるＩＰアドレス情報を備える請求項１に記載のネットワーク管理システム。
【請求項３】
ネットワークに接続された情報処理機器のネットワーク環境を管理するネットワーク管理システムであって、
前記ネットワーク環境に関する情報を記録した可搬記録媒体と、
前記情報処理機器に接続されるとともに、前記可搬記録媒体との間で各種データの送受信を行うリーダライタであって、前記可搬記録媒体から読み取った前記ネットワーク環境に関する情報に基づいて前記情報処理機器のネットワーク環境を設定するリーダライタと、
を備えることを特徴とするネットワーク管理システム。
【請求項４】
前記リーダライタは、前記可搬記録媒体との間で非接触でデータの送受信を行う非接触型リーダライタである請求項１〜３のいずれか一項に記載のネットワーク管理システム。
【請求項５】
ネットワークに接続された情報処理機器のネットワーク環境を管理するネットワーク管理方法であって、
前記ネットワークに接続されたリーダライタを用いて、可搬記録媒体に記録されたデータを読み取る読取りステップと、
前記可搬記録媒体から読み取った前記データの中に、前記ネットワーク環境に関する情報が含まれるか否かを判定する判定ステップと、
該判定ステップで前記データの中に前記ネットワーク環境に関するデータが含まれると判定された場合、前記ネットワーク環境に関する情報に基づいて前記ネットワーク環境を設定する設定ステップと、
を備えることを特徴とするネットワーク管理方法。
【請求項６】
前記ネットワーク環境に関する情報は、前記情報処理機器のネットワーク上におけるＩＰアドレス情報を備える請求項５に記載のネットワーク管理方法。
【請求項７】
ネットワークに接続された情報処理機器のネットワーク環境を管理するネットワーク管理方法であって、
前記情報処理機器に接続されたリーダライタを用いて、可搬記録媒体に記録されたデータを読み取る読取りステップと、
前記可搬記録媒体から読み取った前記データの中に、前記ネットワーク環境に関する情報が含まれるか否かを判定する判定ステップと、
該判定ステップで前記データの中に前記ネットワーク環境に関するデータが含まれると判定された場合、前記ネットワーク環境に関する情報に基づいて前記情報処理機器のネットワーク環境を設定する設定ステップと、
を備えることを特徴とするネットワーク管理方法。
【請求項８】
前記リーダライタは、前記可搬記録媒体との間で非接触でデータの送受信を行う非接触型リーダライタである請求項５〜７のいずれか一項に記載のネットワーク管理方法。
【請求項９】
情報処理機器が接続されたネットワークに接続され、可搬記録媒体との間で各種データの送受信を行うリーダライタの制御方法であって、
前記可搬記録媒体に記録されたデータを読み取る読取りステップと、
前記可搬記録媒体から読み取った前記データの中に、前記ネットワークに接続された情報処理機器のネットワーク環境に関する情報が含まれるか否かを判定する判定ステップと、
該判定ステップで前記データの中に前記ネットワーク環境に関するデータが含まれると判定された場合、前記ネットワーク環境に関する情報に基づいて前記ネットワーク環境を設定する設定ステップと、
を備えることを特徴とするリーダライタの制御方法。
【請求項１０】
前記ネットワーク環境に関する情報は、前記情報処理機器のネットワーク上におけるＩＰアドレス情報を備える請求項９に記載のリーダライタの制御方法。
【請求項１１】
情報処理機器に接続され、可搬記録媒体との間で各種データの送受信を行うリーダライタの制御方法であって、
前記可搬記録媒体に記録されたデータを読み取る読取りステップと、
前記可搬記録媒体から読み取った前記データの中に、前記情報処理機器が接続されたネットワーク上における当該情報処理機器のネットワーク環境に関する情報が含まれるか否かを判定する判定ステップと、
該判定ステップで前記データの中に前記ネットワーク環境に関するデータが含まれると判定された場合、前記ネットワーク環境に関する情報に基づいて前記情報処理機器の前記ネットワーク環境を設定する設定ステップと、
を備えることを特徴とするリーダライタの制御方法。
【請求項１２】
前記リーダライタは、前記可搬記録媒体との間で非接触でデータの送受信を行う非接触型リーダライタである請求項９〜１１のいずれか一項に記載のリーダライタの制御方法。
【請求項１３】
情報処理機器が接続されたネットワークに接続され、可搬記録媒体との間で各種データの送受信を行うリーダライタであって、
前記可搬記録媒体に記録されたデータを読み取る読取り手段と、
前記可搬記録媒体から読み取った前記データの中に、前記ネットワークに接続された情報処理機器のネットワーク環境に関する情報が含まれるか否かを判定する判定手段と、
該判定手段において前記データの中に前記ネットワーク環境に関するデータが含まれると判定された場合、前記ネットワーク環境に関する情報に基づいて前記ネットワーク環境を設定する設定手段と、
を備えることを特徴とするリーダライタ。
【請求項１４】
前記ネットワーク環境に関する情報は、前記情報処理機器のネットワーク上におけるＩＰアドレス情報を備える請求項１３に記載のリーダライタ。
【請求項１５】
情報処理機器に接続され、可搬記録媒体との間で各種データの送受信を行うリーダライタであって、
前記可搬記録媒体に記録されたデータを読み取る読取り手段と、
前記可搬記録媒体から読み取った前記データの中に、前記情報処理機器が接続されたネットワーク上における当該情報処理機器のネットワーク環境に関する情報が含まれるか否かを判定する判定手段と、
該判定手段において前記データの中に前記ネットワーク環境に関するデータが含まれると判定された場合、前記ネットワーク環境に関する情報に基づいて前記情報処理機器の前記ネットワーク環境を設定する設定手段と、
を備えることを特徴とするリーダライタ。
【請求項１６】
前記可搬記録媒体との間で非接触でデータの送受信を行う非接触型リーダライタである請求項１３〜１５のいずれか一項に記載のリーダライタ。
【請求項１７】
可搬記録媒体との間で各種データの送受信を行うリーダライタを備えるネットワークについてのネットワーク環境を管理するシステムで用いられる可搬記録媒体であって、
ネットワークに接続された情報処理機器のネットワーク環境に関する情報が記録されたことを特徴とする可搬記録媒体。
【請求項１８】
前記リーダライタとの間で非接触でデータの送受信を行う非接触型可搬記録媒体である請求項１７に記載の可搬記録媒体。
【発明の詳細な説明】
【０００１】
【発明の属する技術分野】
本発明は、ＩＣカードまたはＩＣタグのような可搬記録媒体、この可搬記録媒体に記録されたデータを読み取るリーダライタおよびその制御方法、ならびに、このリーダライタを用いたネットワーク管理システムおよびネットワーク管理方法に関する。
【０００２】
【従来の技術】
インターネットもしくはイントラネットなどのネットワークに、コンピュータなどの各種情報処理機器をネットワーク接続する場合、初期設定として、ＩＰ（Ｉｎｔｅｒｎｅｔ  Ｐｒｏｔｏｃｏｌ）アドレスなどのネットワーク情報を設定する必要がある。通常、コンピュータのディスプレイ画面を見ながらキーボードでキー操作して当該コンピュータにネットワーク情報を設定する。
【０００３】
また、複数のユーザが上述のようなネットワーク環境を利用する場合は、ユーザ毎にネットワークの設定内容が異なる。
【０００４】
ネットワーク情報の設定を簡素化する技術として、ＩＣカードとこれと通信するリーダライタ部を有するポータブルターミナルを備える情報処理システムが提案されている（例えば、特許文献１参照）。このシステムでは、ＩＣカードに記録されているデータと、ポータブルターミナル用アダプタに予め記録されているデータとを照合し、データが一致した場合、ＩＣカードに記録されているＩＰアドレスを、ポータブルターミナル用アダプタのＩＰアドレスとして設定する。
【０００５】
また、同じくネットワーク情報の設定を簡素化する技術として、ＩＣカードを用いてネットワーク接続を行う公衆端末システムが提案されている（例えば、特許文献２参照）。このシステムでは、ネットワーク設定情報が記録されたＩＣカードから読み出されたユーザＩＤに基づく認証を得てネットワーク接続する。
【０００６】
【特許文献１】
特開２００１−１６８８６８号公報
【特許文献２】
特開２００２−２８８０６０号公報
【０００７】
【発明が解決しようとする課題】
ネットワーク情報は、キーボードを用いたキー操作によってコンピュータに入力される。しかし、ネットワーク情報は複雑な文字列からなるので、キー操作は煩雑なものとなり、入力ミスも生じやすい。
【０００８】
また、例えばコンピュータが故障し、代わりのコンピュータをネットワーク接続するときは、故障したコンピュータに登録されていた情報を、新たにネットワーク接続するコンピュータに登録し直さなければならず、非常に面倒である。
【０００９】
従って本発明の目的は、上記問題に鑑み、ネットワークに情報処理機器をネットワーク接続する際のネットワーク環境の設定管理を簡素化する、ネットワーク管理システムおよびネットワーク管理方法、このネットワーク管理に用いられるリーダライタおよびその制御方法、ならびに、このリーダライタが読み取る可搬記録媒体を提供することにある。
【００１０】
【課題を解決するための手段】
上記目的を実現するために、本発明によれば、ネットワークに接続されている情報処理機器のネットワーク環境を、可搬記録媒体、およびこの可搬記録媒体と通信するリーダライタを用いて管理する。
【００１１】
まず、本発明の第１の態様によれば、ネットワークに接続された情報処理機器のネットワーク環境を管理するネットワーク管理システムは、
ネットワーク環境に関する情報を記録した可搬記録媒体と、
ネットワークに接続されるとともに、可搬記録媒体との間で各種データの送受信を行うリーダライタであって、可搬記録媒体から読み取ったネットワーク環境に関する情報に基づいてネットワーク環境を設定するリーダライタと、を備える。
【００１２】
また、ネットワークに接続された情報処理機器のネットワーク環境を管理するネットワーク管理方法は、
ネットワークに接続されたリーダライタを用いて、可搬記録媒体に記録されたデータを読み取る読取りステップと、
可搬記録媒体から読み取られたデータの中に、ネットワーク環境に関する情報が含まれるか否かを判定する判定ステップと、
この判定ステップでデータの中にネットワーク環境に関するデータが含まれると判定された場合、ネットワーク環境に関する情報に基づいてネットワーク環境を設定する設定ステップと、を備える。
【００１３】
図１は、本発明の第１の態様によるリーダライタを示すブロック図である。
【００１４】
情報処理機器が接続されたネットワークに接続され、可搬記録媒体２との間で各種データの送受信を行うリーダライタ１は、
可搬記録媒体２に記録されたデータを読み取る読取り手段１１と、
可搬記録媒体２から読み取ったデータの中に、ネットワークに接続された情報処理機器のネットワーク環境に関する情報が含まれるか否かを判定する判定手段１２と、
この判定手段１２においてデータの中にネットワーク環境に関するデータが含まれると判定された場合、ネットワーク環境に関する情報に基づいてネットワーク環境を設定する設定手段１３と、を備える。
【００１５】
情報処理機器が接続されたネットワークに接続され、可搬記録媒体との間で各種データの送受信を行うリーダライタの制御方法は、
可搬記録媒体に記録されたデータを読み取る読取りステップと、
可搬記録媒体から読み取ったデータの中に、ネットワークに接続された情報処理機器のネットワーク環境に関する情報が含まれるか否かを判定する判定ステップと、
この判定ステップでデータの中にネットワーク環境に関するデータが含まれると判定された場合、ネットワーク環境に関する情報に基づいてネットワーク環境を設定する設定ステップと、を備える。
【００１６】
本発明の第２の態様によれば、ネットワークに接続された情報処理機器のネットワーク環境を管理するネットワーク管理システムは、
ネットワーク環境に関する情報を記録した可搬記録媒体と、
情報処理機器に接続されるとともに、可搬記録媒体との間で各種データの送受信を行うリーダライタであって、可搬記録媒体から読み取ったネットワーク環境に関する情報に基づいて情報処理機器のネットワーク環境を設定するリーダライタと、を備える。
【００１７】
また、ネットワークに接続された情報処理機器のネットワーク環境を管理するネットワーク管理方法は、
情報処理機器に接続されたリーダライタを用いて、可搬記録媒体に記録されたデータを読み取る読取りステップと、
可搬記録媒体から読み取ったデータの中に、ネットワーク環境に関する情報が含まれるか否かを判定する判定ステップと、
この判定ステップでデータの中にネットワーク環境に関するデータが含まれると判定された場合、ネットワーク環境に関する情報に基づいて情報処理機器のネットワーク環境を設定する設定ステップと、を備える。
【００１８】
図２は、本発明の第２の態様によるリーダライタを示すブロック図である。
【００１９】
情報処理機器に接続され、可搬記録媒体２との間で各種データの送受信を行うリーダライタ１は、
可搬記録媒体２に記録されたデータを読み取る読取り手段１１と、
可搬記録媒体２から読み取ったデータの中に、情報処理機器が接続されたネットワーク上における当該情報処理機器のネットワーク環境に関する情報が含まれるか否かを判定する判定手段１２と、
この判定手段１２においてデータの中にネットワーク環境に関するデータが含まれると判定された場合、ネットワーク環境に関する情報に基づいて情報処理機器のネットワーク環境を設定する設定手段と１３、を備える。
【００２０】
情報処理機器に接続され、可搬記録媒体との間で各種データの送受信を行うリーダライタの制御方法は、
可搬記録媒体に記録されたデータを読み取る読取りステップと、
可搬記録媒体から読み取ったデータの中に、情報処理機器が接続されたネットワーク上における当該情報処理機器のネットワーク環境に関する情報が含まれるか否かを判定する判定ステップと、
この判定ステップでデータの中にネットワーク環境に関するデータが含まれると判定された場合、ネットワーク環境に関する情報に基づいて情報処理機器のネットワーク環境を設定する設定ステップと、を備える。
【００２１】
上述の第１および第２の態様においては、可搬記録媒体との間で各種データの送受信を行うリーダライタを備えるネットワークについてのネットワーク環境を管理するシステムで用いられる可搬記録媒体は、ネットワークに接続された情報処理機器のネットワーク環境に関する情報が記録される。
【００２２】
本発明によれば、ネットワークに情報処理機器をネットワーク接続する場合におけるネットワーク環境の設定管理を簡素化することができる。
【００２３】
【発明の実施の形態】
本発明においては、可搬記録媒体として、例えばＩＣタグもしくはＩＣカードを用いる。ＩＣカードまたはＩＣタグのような可搬記録媒体は、データ記憶用のＩＣメモリを内蔵しており、通信手段の違いから非接触型と接触型とがあるが、その携帯性の高さ、耐久性の高さ、メンテナンス性の良さなどから、例えばクレジットカードや定期券、商品管理タグ等、様々な場面で適用されている。
【００２４】
可搬記録媒体からのデータの読取りおよび可搬記録媒体へのデータの書込みは、リーダライタを介して行われる。リーダライタは、リーダライタに設けられたアンテナを介して電磁誘導現象を利用して情報を送受信する非接触型リーダライタと、リーダライタ本体内に設けられた可搬記録媒体挿入口に可搬記録媒体を挿入し、可搬記録媒体との間で情報を送受信する接触型リーダライタと、に大別される。
【００２５】
ここでは、非接触型のＩＣタグを本発明に適用した例について説明する。
【００２６】
図３は、本発明の第１の実施例におけるネットワークの概略図である。また、図４は、本発明の第１の実施例のネットワーク管理システムの動作を示すフローチャートである。
【００２７】
本発明の第１の実施例では、ネットワーク３に接続されている情報処理機器のネットワーク環境を、ＩＣタグ２、およびこのＩＣタグ２と通信するリーダライタ１を用いて管理する。
【００２８】
特に、情報処理機器としてコンピュータ２１〜２４が接続されているネットワーク３上において、リーダライタ１の現在の接続先のコンピュータを切り替える場合について例示する。
【００２９】
ネットワーク３には、本実施例によるリーダライタ１が、例えばイーサネット（登録商標）を介して接続される。リーダライタ１は、コンピュータなどの情報処理機器を接続するためのシリアルインタフェース（ＲＳ−２３２Ｃ）やＵＳＢインタフェースをさらに備えてもよい。
【００３０】
本実施例によるネットワーク管理システムでは、リーダライタ１内に設けられるメモリ（図示せず）には、現在の接続先のＩＰアドレス情報が保存されている。
【００３１】
一方、ＩＣタグ２には、ネットワーク３に接続される情報処理装置に固有のＩＰアドレス情報が予め記録される。本実施例では、１つのＩＣタグに対して、ネットワーク３上の１つのコンピュータのＩＰアドレスが記録される。なお、リーダライタ１に対してもＩＰアドレスを割り振り、これをＩＣタグに記録しておいてもよい。
【００３２】
本実施例においても、一般的な非接触型のリーダライタと同様に、リーダライタ１は、該リーダライタ１に設けられたアンテナ（図示せず）から絶えず電波を送っており、通信可能なＩＣタグ２がリーダライタ１の通信圏内に存在するか否かを常に監視している。そして、非接触型のＩＣタグ２がリーダライタ１のアンテナの通信圏内に入ると、リーダライタ１は、通信可能なＩＣタグであるか否かを判定する。ここで通信可能であると判別されると、当該ＩＣタグ２は活性化され、リーダライタ１とＩＣタグ２との間の通信が確立される。
【００３３】
このとき、図４のステップＳ１０１において、リーダライタ１は、ＩＣタグ２に記録されているデータを読み取る。
【００３４】
次に、ステップＳ１０２において、リーダライタ１は、ＩＣタグ２から読み取ったデータの中に、ネットワーク３上の情報処理機器のネットワーク環境に関する情報が含まれるか否かを判定する。ネットワーク環境に関する情報とは、本実施例では、ＩＰアドレス情報を意味する。
【００３５】
ステップＳ１０２において、ネットワーク環境に関する情報が含まれていないと判定された場合は、読み取ったデータは、通常のデータ通信の所定の手順に従って処理される。
【００３６】
ステップＳ１０２において、ネットワーク環境に関する情報が含まれていると判定された場合、ステップＳ１０３へ進む。
【００３７】
ステップＳ１０３では、ステップＳ１０１で読み取ったＩＰアドレス情報を、既に保存してあったＩＣアドレス情報に替えて新たに保存する。つまり、リーダライタ内のメモリに保存されるＩＰアドレス情報が書き換えられる。
【００３８】
次いで、ステップＳ１０４において、上記メモリ内に新たに保存されたＩＰネットワーク環境に関する情報を読み出し、この情報に基づいて、ネットワーク環境を設定する。すなわち、本実施例ではリーダライタ１の接続先が、新たなるＩＰアドレス情報に対応したコンピュータに切り替えられる。
【００３９】
なお、リーダライタ１に割り振ったＩＰアドレスをＩＣタグに記録しておいた場合は、当該ＩＣタグをリーダライタ１で読み取れば、リーダライタ１自体がネットワーク３上から見てメインサーバであるかのように機能させることができる。したがって、ネットワーク上のコンピュータはクライアント機器とみなされ、メインサーバとなったリーダライタ１に接続させるようにすることも容易に実現できる。
【００４０】
以上説明したように、本発明の第１の実施例によれば、複数の情報処理機器（例えばコンピュータ）が接続されているネットワーク上において、リーダライタの現在の接続先の情報処理機器を、別の情報処理機器に切り替えたい場合、所望の情報処理機器のＩＰアドレスが記録された可搬記録媒体（例えばＩＣタグ）を用いることにより、簡単に切り替えることができる。つまり、従来のようなキーボードを用いたキー操作によってＩＰアドレスを入力する必要がなく、持ち運びが可能な可搬記録媒体をリーダライタに読み取らせるだけでよいので、ネットワーク環境の管理が簡素化される。
【００４１】
なお、本実施例では情報処理機器としてコンピュータを示したが、ワークステーションのサーバ、プリンタあるいはスキャナなどのその他の情報処理機器であってもよい。
【００４２】
図５は、本発明の第２の実施例におけるネットワークの概略図である。また、図５は、本発明の第２の実施例のネットワーク管理システムの動作を示すフローチャートである。
【００４３】
本発明の第２の実施例においても、ネットワーク３に接続されている情報処理機器のネットワーク環境を、ＩＣタグ２、およびこのＩＣタグ２と通信するリーダライタ１を用いて管理する。
【００４４】
本実施例では、情報処理機器としてコンピュータ２１〜２３が接続されているネットワーク３上において、コンピュータ２１〜２３それぞれに対して、リーダライタ１−２１〜１−２３が接続される。本実施例では、各リーダライタはシリアルインタフェース（ＲＳ−２３２Ｃ）を介してコンピュータに接続されるが、ＵＳＢインタフェースを介して接続してもよい。
【００４５】
ＩＣタグ２には、ネットワークに関する情報が予め記録される。本実施例では、ＩＣタグがユーザ毎に貸与されることを想定して、１つのＩＣタグについて、１つのＩＰアドレスが記録される。なお、このＩＰアドレス情報以外にも、ユーザ固有に設定したネットワーク環境および／またはコンピュータ環境に関する情報を記録してもよい。例えば、ＩＰアドレス情報と共に、ユーザ固有の情報、例えば利用可能なアプリケーションに関する情報、アクセス可能なファイルに関する情報、および／または個別にカスタマイズしたコンピュータディスプレイ表示に関する情報などを、ＩＣタグに記録しておいてもよい。
【００４６】
本実施例においても、一般的な非接触型のリーダライタと同様に、リーダライタ１は、該リーダライタ１に設けられたアンテナ（図示せず）から絶えず電波を送っており、通信可能なＩＣタグ２がリーダライタ１の通信圏内に存在するか否かを常に監視する。
【００４７】
ユーザは、コンピュータを新たにネットワーク接続して利用する場合、もしくはコンピュータのネットワーク環境の設定を変更した場合は、ＩＣタグ２を、複数のリーダライタ１−２１〜１−２３のうち、所望のコンピュータに接続されたリーダライタの近傍にかざす。ここでは、例として、コンピュータ２１を新たにネットワーク接続して利用する場合を考える。この場合、ＩＣタグ２をリーダライタ１−２１近傍にかざす。
【００４８】
そして、非接触型のＩＣタグ２がリーダライタ１−２１のアンテナの通信圏内に入ると、リーダライタ１−２１は、通信可能なＩＣタグであるか否かを判定する。ここで通信可能であると判別されると、当該ＩＣタグ２は活性化され、リーダライタ１−２１とＩＣタグ２との間の通信が確立される。
【００４９】
このとき、図６のステップＳ２０１において、リーダライタ１−２１は、ＩＣタグ２に記録されているデータを読み取る。
【００５０】
次に、ステップＳ２０２において、リーダライタ１−２１は、ＩＣタグ２から読み取ったデータの中に、ネットワーク環境に関する情報が含まれるか否かを判定する。ネットワーク環境に関する情報とは、本実施例では、ＩＰアドレス情報を意味する。また、その他のユーザ固有の情報、例えば利用可能なアプリケーションに関する情報、アクセス可能なファイルに関する情報、および／または個別にカスタマイズしたコンピュータディスプレイ表示に関する情報などをさらに含んでもよい。
【００５１】
ステップＳ２０２において、ネットワーク環境に関する情報が含まれていないと判定された場合は、読み取ったデータは、通常のデータ通信の所定の手順に従って処理される。
【００５２】
ステップＳ２０２において、ネットワーク環境に関する情報が含まれていると判定された場合、ステップＳ２０３へ進む。
【００５３】
ステップＳ２０３では、ステップＳ２０１でリーダライタ１−２１が読み取ったＩＰアドレス情報を、リーダライタ１−２１が接続されているコンピュータ２１へ、シリアルインタフェースを介してロードする。これにより、コンピュータ２１のネットワーク３に対するネットワーク環境が設定される。なお、ＩＰアドレス情報の他に、利用可能なアプリケーションに関する情報、アクセス可能なファイルに関する情報、および／または個別にカスタマイズしたコンピュータディスプレイ表示に関する情報などがリーダライタによって読み取られていたならば、これらについてもネットワーク環境および／またはコンピュータ環境にも反映される。
【００５４】
以上説明したように、本発明の第２の実施例によれば、複数の情報処理機器（例えばコンピュータ）が接続されているネットワーク上において、所望の情報処理装置のネットワーク環境を、ＩＰアドレスが記録された可搬記録媒体（例えばＩＣタグ）を用いることにより、簡単に設定することができる。また、ＩＰアドレス情報とともに、利用可能なアプリケーションに関する情報、アクセス可能なファイルに関する情報、および／または個別にカスタマイズしたコンピュータディスプレイ表示に関する情報など、ネットワーク環境および／またはコンピュータ環境に関する情報についても、可搬記録媒体に予め記録しておけば、これらについても容易に設定することができる。つまり、従来のようなキーボードを用いたキー操作によってＩＰアドレスおよびその他の設定情報を入力する必要がなく、持ち運びが可能な可搬記録媒体をリーダライタに読み取らせるだけでよいので、ネットワーク環境の管理が簡素化される。
【００５５】
なお、上述した第１の実施例および第２の実施例を同時に実現してもよい。この場合は、リーダライタ内に、イーサネット（登録商標）およびシリアルインタフェースもしくはＵＳＢインタフェースのコネクタを設けるとともに、図１および図２を参照して説明した各手段を設ければよい。
【００５６】
また、以上説明した第１および第２の実施例においては、非接触型のＩＣタグを用いたが、接触型でもあってもよい。
【００５７】
また、１つのＩＣタグに１つのＩＰアドレス情報を記録した。ＩＰアドレスは、例えば「１７２．３０．１２８．１１１」などのように４つの数字を１組として表現されるが、これら４つの数字をそれぞれ別々のＩＣタグに記録し、４枚のＩＣタグによって１つのＩＰアドレスを構成するようにしてもよい。特に非接触型のＩＣタグを用いているので特に有効である。なお、複数のＩＣタグがリーダライタの通信圏内に入った場合はリーダライタと複数のＩＣタグとの間の各通信が衝突することになるので、この衝突を防止するために、リーダライタが一意にＩＣカードを識別するアンチコリジョンと呼ばれる処理が実行される。このアンチコリジョン処理を経て通信可能であると判別されたＩＣカードに対して、リーダライタ１との通信が順次確立されることになる。
【００５８】
【発明の効果】
以上説明したように、本発明によれば、ネットワークに情報処理機器をネットワーク接続する際のネットワーク環境の設定管理を簡素化することができる。
【００５９】
本発明の第１の態様によれば、複数の情報処理機器が接続されているネットワーク上において、リーダライタの現在の接続先の情報処理機器を、別の情報処理機器に切り替えたい場合、所望の情報処理機器のＩＰアドレスが記録された可搬記録媒体を用いることにより、簡単に切り替えることができる。つまり、従来のようなキーボードを用いたキー操作によってＩＰアドレスを入力する必要がなく、持ち運びが可能な可搬記録媒体をリーダライタに読み取らせるだけでよいので、ネットワーク環境の管理が簡素化される。
【００６０】
例えば、現在利用していたコンピュータが故障し、代わりのコンピュータをネットワーク接続する場合は、故障したコンピュータのＩＰアドレスを記録した可搬記録媒体を、ネットワークに接続されている本発明のリーダライタに読み取らせるだけで、代わりのコンピュータを簡単にネットワーク接続することができる。
【００６１】
また、本発明の第２の態様によれば、複数の情報処理機器が接続されているネットワーク上において、所望の情報処理装置のネットワーク環境を、ＩＰアドレスが記録された可搬記録媒体を用いることにより、簡単に設定することができる。また、ＩＰアドレス情報とともに、利用可能なアプリケーションに関する情報、アクセス可能なファイルに関する情報、および／または個別にカスタマイズしたコンピュータディスプレイ表示に関する情報など、ネットワーク環境および／またはコンピュータ環境に関する情報についても、可搬記録媒体に予め記録しておけば、これらについても容易に設定することができる。つまり、従来のようなキーボードを用いたキー操作によってＩＰアドレスおよびその他の設定情報を入力する必要がなく、持ち運びが可能な可搬記録媒体をリーダライタに読み取らせるだけでよいので、ネットワーク環境の管理が簡素化される。
【００６２】
例えば、複数のコンピュータが接続され、ユーザごとにネットワーク環境およびコンピュータ環境が異なるネットワークにおいては、各コンピュータに本発明のリーダライタを接続しておけば、ネットワーク環境およびコンピュータ環境の設定管理が容易となる。
【図面の簡単な説明】
【図１】本発明の第１の態様によるリーダライタを示すブロック図である。
【図２】本発明の第２の態様によるリーダライタを示すブロック図である。
【図３】本発明の第１の実施例におけるネットワークの概略図である。
【図４】本発明の第１の実施例のネットワーク管理システムの動作を示すフローチャートである。
【図５】本発明の第２の実施例におけるネットワークの概略図である。
【図６】本発明の第２の実施例のネットワーク管理システムの動作を示すフローチャートである。
【符号の説明】
１、１−２１、１−２２、１−２３…リーダライタ
２…ＩＣタグ
３…ネットワーク
１１…読取り手段
１２…判定手段
１３…設定手段
２１、２２、２３、２４…コンピュータ
【図１】
2004220421.tif 000003
【図２】
2004220421.tif 000004
【図３】
2004220421.tif 000005
【図４】
2004220421.tif 000006
【図５】
2004220421.tif 000007
【図６】
2004220421.tif 000008